(57)【要約】【課題】直線的な敷設、コーナーなどに曲がりに沿わせた曲線的な敷設を施工性よく行うことができるフレキシブル性（柔軟性）に優れた饋電部を備え、さらに、感電や火災などのおそれがある導体や集電子などへの埃、湿気などの付着を防ぐためのカバー部を備えている集電装置を提供する。【解決手段】ダクト１と、このダクト１の長さ方向にわたり内設される饋電ファスナ２と、ダクト１の長手方向にわたり、ダクト１の開口部を開閉可能に閉鎖するための閉鎖ファスナ３とを備えている。饋電ファスナ２は、ダクト１の開口幅方向の両側に固着されて、該ダクト１の長さ方向にわたり配される絶縁テープ２−１と、この絶縁テープ２−１に沿って取り付けられてかみ合い結合、分離される導体エレメント２−２と、この導体エレメント２−２に装着されて、該導体エレメント２−２のかみ合い結合と分離とを行うための集電スライダ２−３とを備えて構成されている。【選択図】図１
2009027854.tif 000002
【特許請求の範囲】
【請求項１】
電動移動型機器などの軌道に沿うように敷設されて、前記電動移動型機器などに饋電するための集電装置であって、
断面が略コの字形状で、前記軌道に沿う方向に設置されるダクトと、
このダクトの長さ方向にわたり、該ダクトの内部に内設される饋電部と、を備え、
前記饋電部は、前記ダクトの開口幅方向の両側にそれぞれ固着されて、該ダクトの長さ方向にわたり配される絶縁テープと、
この絶縁テープにそれぞれ取り付けられて係脱自在にかみ合い結合される導体エレメントと、
この導体エレメントに装着されて、該導体エレメントのかみ合い結合と分離とを行うための集電スライダと、を備えて構成されている饋電ファスナであることを特徴とする集電装置。
【請求項２】
前記ダクトの長さ方向に隣接している前記導体エレメント相互を導通させるための導通部材を、前記絶縁テープに備えたことを特徴する請求項１に記載の集電装置。
【請求項３】
前記饋電ファスナを、前記ダクトの内側から押し上げるように支えて前記絶縁テープに張力を付与するための弾性絶縁部材が、前記ダクトの長さ方向に内設されていることを特徴とする請求項１または請求項２に記載の集電装置。
【請求項４】
前記ダクトの長さ方向にわたり、該ダクトの開口部を開閉可能に閉鎖するためのカバー部を備え、
このカバー部は、前記ダクトの開口幅方向の両側にそれぞれ固着されて、ダクトの開口部を長さ方向に塞ぐように配される絶縁テープと、
この絶縁テープに沿ってそれぞれ取り付けられて係脱自在にかみ合い結合される絶縁エレメントと、
この絶縁エレメントに装着されて、該絶縁エレメントのかみ合い結合と分離とを行うための絶縁スライダと、を備えて構成されている閉鎖ファスナであり、
前記絶縁スライダは、前記集電スライダに電気的に導通されて前記電動移動型機器に饋電するためのリード部材を貫通状に備え、かつ、該リード部材の部分以外においては前記絶縁エレメントをかみ合わせ結合させて前記ダクトの開口部を閉じるように形成されていることを特徴とする請求項１から請求項３のいずれか１項に記載の集電装置。
【請求項５】
前記ダクトは、少なくとも開口幅方向に向けて曲がるように形成されていることを特徴とする請求項１から請求項４のいずれか１項に記載の集電装置。
【発明の詳細な説明】
【技術分野】
【０００１】
本発明は、集電装置に係り、例えば、天井、壁などの照明器具の給電用として取り付けられるライティングダクト、または掃除、警備などを行う移動型次世代ロボット、或いは生産工場などにおける天井クレーンやホイストなどをはじめとする各種の電動移動型機器に電気を饋電するために用いられる集電装置に関する。
【背景技術】
【０００２】
例えば、生産工場などにおける天井クレーン、ホストクレーン、スタッカークレーンなどの各種の電動移動型機器の駆動源である電動モータに対し、各クレーンの軌道の軌道に沿わせて電気を饋電することができるように構成されているトロリバスダクトや絶縁トロリ線などの集電装置は知られている（例えば、特許文献１および特許文献２を参照）。
【特許文献１】特開平６−１０４０６５号公報
【特許文献２】特開２０００−４３６２０号公報
【発明の開示】
【発明が解決しようとする課題】
【０００３】
しかしながら、電動移動型機器の軌道に沿わされて設置されるダクトの内部に導体を内設させ、この導体に沿わせて常時摺接（接触）させるための集電ブラシ（電極）を備えている集電用トロリを、ダクトにスライド可能に装着することにより構成されているトロリバスダクトなどでは、ダクトのトロリ走行開口部が常に開放された状態にある。つまり、ダクト内の導体やこの導体に沿って摺接する集電ブラシは常に空気に晒されており、空気中の塵埃、湿気などが付着され易い環境にある。
そのために、従来では、塵埃、湿気などが導体や集電ブラシなどに付着し、それが時間の経過とともに徐々に堆積することとなり、感電、火災（トラッキング火災やショートによる火災）などが発生するおそれがあることから、保安上において改善することが望まれていた。
【０００４】
また、従来から知られているトロリバスダクトなどの集電装置では、電動移動型機器に起電するための饋電部を構成する導体は、導電を有する金属材料を用いて適宜の長さと断面形状を有する略棒状や略パイプ状に形成されて絶縁カバーによって被覆され、集電子が摺接するように備えられている。そして、導体が内設されるダクトは、適宜の金属材料を用いて形成されている。
そのために、電動移動型機器の軌道に沿わせて行う敷設現場に合わせて、直線的なもの、そしてコーナーなどの曲がりに沿わせた屈曲形状や湾曲形状などの曲線的なものなどをそれぞれ生産工場において製作準備した後に、敷設現場に搬送しなければならない。つまり、敷設現場に合わせてそれぞれ生産工場において製作する必要があるため、生産性が悪く、コスト高になる。
【０００５】
また、室内の天井や壁などから明かりを照らす場合、その照らす方向を天井や壁などの任意の方向から照らすことができるように、天井や壁などに沿わされて敷設されるライティングダクトの場合においても、天井や壁などに敷設するときに、照明機器が取り付けられる天井や壁などに沿わせてダクトを設置した後に、ダクトの内部に導体を組み込み内設させるときに、導体は剛体でフレキシブル性を備えていないために、現場における施工性においても手間が掛かるなど問題を有し、その改善が望まれていた。
【０００６】
ちなみに、ライティングダクトは、集電子を備えている導体と、ダクトとを分離させて状態で敷設現場に搬入し、天井や壁面などに沿わせて敷設するときに、ダクトに対して導体を内設させる敷設手順が取られている。
【０００７】
そこで、本発明は、前記課題を解消するために創案されたものであり、電動移動型機器などの軌道に沿わせて敷設するに際して、直線的な敷設は勿論、コーナーなどに曲がりに沿わせた曲線的な敷設においても施工性よく行うことができるフレキシブル性（柔軟性）に優れた饋電部を備えた集電装置を提供することにある。
また、本発明では、感電や火災などのおそれがある導体や集電子などへの埃、湿気などの付着を防ぐためのカバー部を備えている集電装置を提供することにある。
【課題を解決するための手段】
【０００８】
前記課題を解決するために、本発明では、電動移動型機器などの軌道に沿って敷設されて、該電動移動型機器に饋電するための集電装置であって、
断面が略コの字形状で、前記軌道に沿う方向に設置されるダクトと、このダクトの長さ方向にわたり、該ダクトの内部に内設される饋電部と、を備え、
前記饋電部は、前記ダクトの開口幅方向の両側にそれぞれ固着されて、該ダクトの長さ方向にわたり配される絶縁テープと、この絶縁テープに沿ってそれぞれ取り付けられて係脱自在にかみ合い結合される導体エレメントと、この導体エレメントに装着されて、該導体エレメントのかみ合い結合と分離とを行うための集電スライダと、を備えて構成されている饋電ファスナであることを特徴とする。
【０００９】
ここで、前記ダクトの長さ方向に隣接している前記導体エレメント相互を、ダクトの長さ方向にわたり導通（通電）するように連結するための導電部材を、前記絶縁テープに備えている構成を採用することが好適なものとなる。
また、前記絶縁テープに張力を付与するための弾性絶縁部材を、前記ダクトの長さ方向にわたり前記導体エレメントおよび前記絶縁テープを裏側から支えるように、前記ダクトの内部に内設させた構成を採用することが好適なものとなる。
【００１０】
このような構成により、例えば、電動移動型機器の軌道に沿わされて敷設するに際して、電動移動型機器に電気を饋電するための饋電部は絶縁テープ、導体エレメント、集電スライダを備えているフレキシブルな饋電ファスナによって構成されている。これにより、電動移動型機器の軌道に沿わせて直線的や曲線的に設置されるダクトの内部に饋電部を内設させるときに、饋電部はフレキシブル性に優れた饋電ファスナであることで、ダクトの内部に自在に内設させることができる。つまり、直線的な敷設は勿論、コーナーなどに沿わせて屈曲や湾曲させるなどの曲線的な敷設に対して対応させることができる。
また、集電スライダのスライドに伴いかみ合い結合、分離される導体エレメントは、絶縁テープに沿って設けられている導電部材によってダクトの長さ方向に連結（導通）されている。これにより、ダクトの長さ方向に隣接するように絶縁テープに沿わされて取り付けられている導体エレメント相互間の電気を通すための導通性は確立される。つまり、集電スライダを介して電動移動型機器への饋電が確実に実行される。
さらに、饋電ファスナの絶縁テープおよび導体エレメントは弾性絶縁部材によって押し上げ支えられている。これにより、絶縁テープには張力が付与されることで、導体エレメントを結合、分離するためにスライドする集電スライダの円滑な動きが期待される。つまり、絶縁テープや導体エレメントが垂れ下がるような不具合が発生することなく、電動移動型機器の移動に追従させた動きが要求される集電スライダの円滑な動きが図られる。
【００１１】
また、本発明では、前記ダクトの長手方向にわたり、該ダクトの開口部を開閉可能に閉鎖するためのカバー部を備え、
このカバー部は、前記ダクトの開口幅方向の両側にそれぞれ固着されて長さ方向にわたり配される絶縁テープと、この絶縁テープに沿ってそれぞれ取り付けられて係脱自在にかみ合い結合される絶縁エレメントと、この絶縁エレメントに装着されて、該絶縁エレメントのかみ合い結合と分離とを行うための絶縁スライダと、を備えて構成されている閉鎖ファスナであり、
前記絶縁スライダは、前記集電スライダに電気的に導通されて前記電動移動型機器に饋電するためのリード部材を貫通状に備え、かつ、該リード部材の部分以外においては前記絶縁エレメントをかみ合わせ結合させて前記ダクトの長さ方向の開口部を閉じるように形成されていることを特徴とする。
【００１２】
このような構成により、饋電ファスナが内設されているダクトの内部は、ダクトの開口部に備えられている閉鎖ファスナによって外部と遮断される。これにより、塵埃、湿気などのダクトの内部への侵入が阻止され、防塵性が図られる。
【００１３】
また、本発明では、前記ダクトが、少なくとも開口幅方向に向けて曲がるように形成されていることを特徴とする。
【００１４】
このような構成により、例えば、前記したように、電動移動型機器の軌道に沿わされて敷設するに際して、ダクトは、開口幅方向に対して曲がるように形成されており、饋電部は、前記したように、フレキシブルな饋電ファスナによって構成されている。これにより、電動移動型機器の軌道に沿わせて敷設するに際して、直線的な敷設は勿論、コーナーなどに沿わせて屈曲形状や湾曲形状させるなどの曲線的な敷設に対しても対応させることができる。
【発明の効果】
【００１５】
本発明の集電装置は、以上のように構成されていることで、電動移動型機器の軌道に沿って敷設するに際して、直線的な敷設は勿論、コーナーなどに沿った屈曲形状や湾曲形状などの曲線的な敷設においても対応させることができる。これにより、敷設現場に制約されることなく、施工性の向上が期待できる。
【００１６】
また、饋電部である饋電ファスナが内設さているダクトの開口部は、絶縁性のカバー部である閉鎖ファスナによって閉じられている。そして、閉鎖ファスナを構成する絶縁エレメントに装着されて、絶縁エレメントをかみ合わせ結合、分離するための絶縁スライダは、電動移動型機器に饋電するためのリード部材が外部に臨む部分以外においてダクトの長さ方向における全ての絶縁エレメントをかみ合わせ結合させてダクトの開口部を閉じるように形成されている。
これにより、饋電ファスナが内設されているダクトの内部に塵埃、湿気などが侵入することを防止することができる。つまり、感電、火災（トラッキング火災やショートによる火災）などの発生原因となる饋電ファスナを構成する導体エレメントや集電スライダなどへの塵埃、湿気などの付着、そして堆積することを確実に防止することができることで、保安上の安全性を確立することができる。
【発明を実施するための最良の形態】
【００１７】
以下、本発明の実施形態について、適宜図面を参照しながら詳細に説明する。
図１は、本実施形態に係る集電装置の一部を示す斜視図であり、図２は、同平面図であり、図３および図４は、同縦断面図である。
【００１８】
≪集電装置の構成≫
集電装置Ａは、図示省略の例えば、掃除、警備などを行う移動型次世代ロボットなどの電動移動型機器の軌道に沿わされて設置されるダクト１と、このダクト１の長さ方向にわたり、ダクト１の内部に内設される饋電部である饋電ファスナ２と、この饋電ファスナ２の覆うようにダクト１の開口部に取り付けられるカバー部である閉鎖ファスナ３とを備えて構成されている。
【００１９】
また、集電装置Ａは、図１、図３および図４に示すように、饋電ファスナ２の裏面側において、該饋電ファスナ２を裏側から支えるための弾性絶縁部材４をダクト１の内部に備えている。これにより、饋電ファスナ２の後記する絶縁テープ２−１に張力を与えるようにしている。さらに、集電装置Ａは、ダクト１の内側に沿うように絶縁枠部材５を備えている。
【００２０】
≪ダクトの構成≫
ダクト１は、図１、図３および図４に示すように、アルミなどの金属材料や合成樹脂材料などを用いた押出し成形などによって長さ方向に開口部を有する断面が略コの字形状に形成されている。
また、ダクト１は、図２に二点鎖線で示すように、開口部の開口幅方向に向けて屈曲形状や湾曲形状などの曲線的に折れ曲がるように形成されている。
なお、ダクト１を開口幅方向に折れ曲がるようにするための手段としては特に限定されるものではないが、例えば、ダクト１全体を適度の柔軟性（可撓性）を有する合成樹脂材料やその他の適宜の材料を用いて形成することや、長さ方向に蛇腹形状に形成するなどを挙げることができる。そして、蛇腹形状においてはダクト１の外側のみに、特に、開口幅方向の両側の立上がり壁部１−１の外側に施すことが好適なものとなる。これにより、絶縁枠部材をダクト１の内側に密着させた状態で内在させることができ、しかも、集電装置Ａの敷設現場においては、コーナーなどに沿わせた屈曲形状や湾曲形状などの曲線的に敷設するなどに対して対応させることができる。
【００２１】
≪饋電ファスナの構成≫
饋電ファスナ２は、図１および図３に示すように、ダクト１の両側立上がり壁部１ａの内側に沿わされる絶縁枠部材５の後記する両側立上がり壁部５ａに固着させてダクト１の長さ方向にわたり配される絶縁テープ２−１と、この絶縁テープ２−１にそれぞれ取り付けられて係脱自在にかみ合い結合される導体エレメント２−２と、この導体エレメント２−２に装着されて、該導体エレメント２−２のかみ合い結合と分離とを行うための集電スライダ２−３とを備えて構成されている。
【００２２】
絶縁テープ２−１は、絶縁性で適度の伸縮性を有する天然繊維材やその他の合成繊維材などを用いて、図３および図４に示すように、ダクト１の開口幅方向にわたる程度の幅に形成されている。
【００２３】
導体エレメント２−２は、導電性に優れている例えば、銅などの金属材料を用いて周知のファスナエレメントと同様に略チップ形状に形成されている。つまり、集電スライダ２−３のスライドによって対を成す導体エレメント２−２がかみ合い結合、分離するように形成されている。
そして、導体エレメント２−２は、図３に示すように、絶縁テープ２−１の幅方向に適宜の間隔をおいて長さ方向に隣接するようにそれぞれ止着されることで、絶縁テープ２−１の長さ方向にわたり並走させた陰極用と陽極用との両極を形成するものである。
【００２４】
本実施例では、絶縁テープ２−１の長さ方向に隣接するように取り付けられている導体エレメント２−２全体の導通性を高めるために、図２および図３に示すように、絶縁テープ２−１にカーボンなどからなる導電部材６を設けることにより、導体エレメント２−２全体の絶縁テープに対する止着根元部分を長さ方向に導通させるようにしている。
なお、導電部材６は、カーボン粉末を塗布、或いは印刷するなど適宜の手段によって絶縁テープ２−１に設けることができる。
【００２５】
また、絶縁テープ２−１は、図３に示すように、陰極側と陽極側との両極の間に、絶縁部材７を備えている。これにより、絶縁テープ２−１の絶縁性に加えた絶縁部材７との双方によって、両極の漏電を確実に防ぐようにしている。
【００２６】
集電スライダ２−３は、導体エレメントと同様に導電性に優れた銅材などを用いた頭合わせ構造に形成されている。つまり、集電スライダ２−３は、図１および図２に示すように、スライド方向の両側にエレメント結合・分離部７をそれぞれ備えている。
これにより、集電スライダ２−３がスライドする方向に応じて、ダクト１の長さ方向にそれぞれ対をなして係脱可能に相対している導体エレメント２−２の全体のうち、図２の（ｂ）に示すように、集電スライダ２−３が位置する以外の部分の導体エレメント２−２は常時結合されて閉じられている状態となる。
【００２７】
そして、このように形成されている集電スライダ２−３は、陰極用と陽極用との両極があり、図１、図２および図３に示すように、閉鎖ファスナ３の後記する絶縁スライダ３−３に備えられている陽極用と陰極用との両極のそれぞれのリード部材８に導通（通電）するように、導電経路９（図３の拡大断面図参照）を介して絶縁スライダ３−３の両側に並列状にそれぞれ取り付け保持されることで、絶縁スライダ３−３とともにスライドするように形成されている。
【００２８】
また、集電スライダ２−３は、図１および図２に示すように、前後の結合・分離口１０からそれぞれ突出させた集電ブラシ１１を備えている。これにより、集電スライダ２−３を挟むダクト１の長さ方向における導体エレメント２−２相互の導通状態が遮断されずに確実に継続保持されるようにしている。つまり、集電スライダ２−３内では導体エレメント２−２の結合状態が分離されるものであるが、この分離によってダクト１の長さ方向における導体エレメント２−２全体の導通状態が遮断されずに継続保持されるようにしている。
【００２９】
≪閉鎖ファスナの構成≫
閉鎖ファスナ３は、ダクト１の開口幅方向の両側立上がり壁部１ａにそれぞれ固着されて長さ方向にわたり配される絶縁テープ３−１と、この絶縁テープ３−１に沿ってそれぞれ取り付けられて係脱自在にかみ合い結合される絶縁エレメント３−２と、この絶縁エレメント３−２に装着されて、該絶縁エレメント３−２のかみ合い結合と分離とを行うための絶縁スライダ３−３とを備えて構成されている。
【００３０】
絶縁テープ３−１は、前記した饋電ファスナ２の絶縁テープ２−１と同じ材料を用いて形成されている。なお、絶縁テープ３−１においては、絶縁性に加えて、塵埃、湿気などを通さない材料を選択することが好適なものとなる。例えば、塩化ビニール材料などを挙げることができる。
【００３１】
絶縁エレメント３−２および絶縁スライダ３−３は、導電性を有する金属材料に替えて、絶縁性を有する合成樹脂材料などを用いて形成するようにした以外は、前記した饋電ファスナ２の導体エレメント２−２および集電スライダ２−３と基本的な構成形態においては同じであることから詳細について省略する。
つまり、絶縁エレメント３−２は、絶縁テープ３−１の長さ方向に沿って隣接するように取り付けられて、絶縁スライダ３−３のスライドによってかみ合わせ結合、分離されるように形成されている。
これにより、空気中の塵埃、湿気などがダクト１の内部の侵入することを防ぐように、ダクト１の開口部を閉じる。つまり、饋電ファスナ２の導体エレメント２−２や集電スライダ２−３などに塵埃、湿気などが付着し、堆積することを防ぐようにしている。
【００３２】
絶縁スライダ３−３は、スライド方向の両側にエレメント結合・分離口１２をそれぞれ備えている頭合わせスライダであり、エレメント結合・分離口１２には、図１および図２に示すように、引き手１３をそれぞれ備えている。
また、絶縁スライダ３−３は、図３に示すように、饋電ファスナ２の陽極側と陰極側との両極の集電スライダ２−３を接着やネジ止めなどの固着手段によって両側にそれぞれ抱かかえるための絶縁性の腕片１４をそれぞれ備えている。
さらに、絶縁スライダ３−３は、陽極側と陰極側との両極の集電スライダ２−３に導通部材９を介して導通された陽極側と陰極側との両極のリード部材８を貫通状に備えている。
【００３３】
≪弾性絶縁部材の構成≫
饋電ファスナ２をダクト１の内側から押し上げ支えるようにダクト１の内部に内設される弾性絶縁部材４は、絶縁性と機密性などを兼ね備えている天然ゴムや合成ゴムなどのゴム材料を用いてチューブ状に形成されている。
そして、この弾性絶縁部材４は、図３に示すように、ダクト１の両側立上がり壁部１−１にわたるように取り付けられる饋電ファスナ２の内側においてダクト１の内部空間を埋めるように、断面が略横長矩形形状に形成されている。
このように形成されている弾性絶縁部材４は、内部のエア圧によって饋電ファスナ２の絶縁テープ２−１に張力を付与するように、ダクト１の内側から饋電ファスナ２を押し上げ支える。
これにより、陰極側と陽極側との両極を形成する導体エレメント２−２は、ダクト１の開口幅方向と長さ方向に常に張力が付与された状態で平行に保持されることで、絶縁スライダ２−３とともに並走してスライドする両極の集電スライダ２−３の円滑なスライドが期待できる。つまり、絶縁テープ２−１が垂れるなどによって、集電スライダ２−３が絶縁テープ２−１や導体エレメント２−２自体に引っ掛かるなどによって集電スライダ２−３のスライドが鈍るなどの不具合は発生するおそれはない。
【００３４】
なお、図示を省略しているが、エアを注入することで、ダクト１の内側から饋電ファスナ２を押し上げ支えるようにチューブ状に形成されている弾性絶縁部材４は、敷設現場へ搬送した後に、エアを送り込むことができるように、開閉バルブなどを備えているエア注入口を設けることができる。
【００３５】
図５は、弾性絶縁部材の他の実施形態をそれぞれ示す断面図である。
また、本実施形態では、図５の（ａ）に示すように、天然ゴムや合成ゴムなどのゴム材料を用いてチューブ状に形成されている外殻４−１の内部に、同じくゴム材料を用いて細いチューブ状に形成されている多数本の弾性細管４−２を碁盤目状に内在させることで、饋電ファスナ２を押し上げ支えるための伸縮作用が備えられた弾性絶縁部材４を形成している。
また、図５の（ｂ）においては、外殻４−１の内部に発泡ウレタンなどの充填材４−３を詰め込み内在させることで、伸縮作用が備えられた弾性絶縁部材４を形成している。
【００３６】
≪絶縁枠部材の構成≫
絶縁枠部材５は、弾性絶縁部材４と同じく天然ゴムや合成ゴムなどによって適度の伸縮性を有するように形成されている。そして、絶縁枠部材５は、ダクト１の内側に沿うように適宜の厚さにて断面が略コの字形状に形成されているとともに、ダクト１の両側立上がり壁部４ａの上縁からその外側に沿うように折返し掛止縁部５ａを備えている。これにより、ダクト１への装着を伸縮作用によって簡単に嵌め込み取り付けることができるようにしている。
【００３７】
以上のように構成されている本実施形態に係る集電装置Ａによれば、饋電ファスナ２、閉鎖ファスナ３、弾性絶縁部材４、そして絶縁枠部材５は、フレキシブルに形成されている。これにより、ダクト１を除く、饋電ファスナ２、閉鎖ファスナ３、弾性絶縁部材４、そして絶縁枠部材５は、工場において図１〜図４に示す配置関係で組み合わせ構成されている数メートの長さに形成することができる。
例えば、アルミなどの金属材料から形成されている既存のダクト１を用いて、電動移動型機器の軌道に沿わせて行う敷設現場に合わせて集電装置Ａを敷設する場合、ダクト１は、トラックなどの積み込むことができる長さに形成しなければならないが、饋電ファスナ２、閉鎖ファスナ３、弾性絶縁部材４、そして絶縁枠部材５との組み合わせ体、所謂饋電部は、長さが制限されない。つまり、リール状に巻くなどのコンパクトな状態で、トラックなどに積み込むことができる。
【００３８】
また、電動移動型機器の軌道に沿わせて行う敷設現場においては、直線的な金属製ダクト、曲線的な金属製ダクトを用いることで、直線的な敷設から、コーナーなどの曲がりに沿わせた屈曲形状や湾曲形状などの曲線的な敷設において対応させることができる。
【００３９】
また、集電スライダ２−３のスライドに伴いかみ合い結合、そして分離される導体エレメント２−２は、図３に示すように、絶縁テープ２−１に設けられている導電部材６によってダクト１の長さ方向に連結（導通）されている。
これにより、ダクト１の長さ方向に隣接するように絶縁テープ２−１に沿わされて取り付けられている導体エレメント２−２相互間の電気を通す導通性は確立される。つまり、集電スライダ２−３を介して電動移動型機器への饋電が確実に実行される。
【００４０】
また、図１〜図４に示すように、饋電ファスナ２が内設されているダクト１の内部は、ダクト１の開口部に備えられている閉鎖ファスナ３によって外部と遮断される。これにより、塵埃、そして湿気などのダクト１の内部への侵入が阻止され、防塵性が図られる。
【００４１】
さらに、図１、図３および図４に示すように、饋電ファスナ２の絶縁テープ２−１および導体エレメント２−１は弾性絶縁部材４によってダクト１の内側から支えられている。
これにより、絶縁テープ２−１には張力が付与されることで、導体エレメント２−２を結合、分離するためにスライドする集電スライダ２−３の円滑な動きが期待される。つまり、絶縁テープ２−１や導体エレメント２−２が垂れ下がるような不具合が発生することなく、電動移動型機器のスライドに追従させた動きが要求される集電スライダの円滑な動きが図られる。
【００４２】
図６は、本発明に係る集電装置の他の実施形態を示す縦断面図である。
なお、この他の実施形態に係る集電装置Ａ−１は、図６に示すように、ダクト１の開口幅方向における弾性絶縁部材４を２分割し、なおかつ、弾性絶縁部材５の幅方向に中央部位に仕切り壁部５ｂを設けた以外の構成要素においては、前記した実施形態と基本的に同じことから同じ構成要素に同じ符合を付することで説明は省略する。
つまり、集電装置Ａ−1は、饋電ファスナ２の絶縁テープ２−１にそれぞれ備えられている陰極側と陽極側との両極（導体エレメント２−２）を独立させた弾性絶縁部材４によって、ダクト１の内側からそれぞれ押し上げ支えるようにしている。これにより、絶縁テープ２−１に張力をより一層効率的で確実に付与することができるようにしている。
【００４３】
」
図７は、本発明に係る集電装置の他の実施形態を示す縦断面図である。
なお、この他の実施形態に係る集電装置Ａ−２は、図７に示すように、閉鎖ファスナ３を構成する絶縁スライダ３−３を、ダクト１の両側立上がり壁部１−１に止め金具１５を用いて係脱自在に固定し得るように構成した以外の構成要素においては、前記した実施形態と基本的に同じことから同じ構成要素に同じ符合を付することで説明は省略する。
つまり、集電装置Ａ−２は、ダクト１の長さ方向に適宜の間隔をおいた両側立上がり壁部１−１にフック部１５−１を取り付け、このフック部１５−１に係脱自在に引っ掛けるリング体１６を備えている操作部１５−２を、閉鎖ファスナ３の絶縁スライダ３−３からダクト１の幅方向に突出させた連結腕片１７に取り付けて、絶縁スライダ３−３をダクト１の長さ方向の適宜箇所においてスライド不能に固定することができるようにしている。
これにより、例えば、照明機器を天井や壁などに取り付けるためのライティングダクトとしての利用を有効なものとしている。
【図面の簡単な説明】
【００４４】
【図１】本実施形態に係る集電装置の一部を示す斜視図である。
【図２】同集電装置の平面図である。
【図３】図２のＩＩＩ−ＩＩＩ線縦断面図である。
【図４】図２のＩＶ−ＩＶ線縦断面図である。
【図５】弾性絶縁部材の他の実施形態をそれぞれ示す断面図である。
【図６】本発明に係る集電装置の他の実施形態を示す縦断面図である。
【図７】本発明に係る集電装置の他の実施形態を示す縦断面図である。
【符号の説明】
【００４５】
Ａ      集電装置
１      ダクト
２      饋電ファスナ（饋電部）
２−１  絶縁テープ
２−２  導体エレメント
２−３  集電スライダ
３      閉鎖ファスナ（カバー部）
３−１  絶縁テープ
３−２  絶縁エレメント
３−３  絶縁ファスナ
４      弾性絶縁部材
５      絶縁枠部材
６，１１  エレメント結合・分離口
【図１】
2009027854.tif 000003
【図２】
2009027854.tif 000004
【図３】
2009027854.tif 000005
【図４】
2009027854.tif 000006
【図５】
2009027854.tif 000007
【図６】
2009027854.tif 000008
【図７】
2009027854.tif 000009